(57)【要約】【課題】従来のフード式頭髪促進装置にあっては、フードへの水蒸気の供給によってフード内の気圧が一定以上になると、水蒸気が水滴と一緒にドレーンタンク内に侵入することとなるが、この時、水蒸気には被施術者の頭髪に塗布した薬液の匂いが含まれているので、ドレーンタンクから前記臭気が漏れ出たり、水蒸気がドレーンタンクの口部から外部に漏れ出して外装カバー等の外部部品に水滴が付着して汚損するといった問題があった。【解決手段】ドレーンタンク４内の上方に形成された口部４１に対してフレキシブルパイプの他端が摺動自在に挿入され下端が底部まで達する第１の溜まり部４５と、該第１の溜まり部内から溢れた水を受ける第２の溜まり部４６とを形成したフード式頭髪促進装置である。【選択図】　　　　図１
2004089436.tif 000002
【特許請求の範囲】
【請求項１】
被施術者の頭部に被るフードの内部に蒸気を供給することで頭髪を促進するフード式頭髪促進装置において、前記フードの開口部内周面に折り返しして形成した水路と、該水路の出口に一端を取付けたフレキシブルパイプと、該フレキシブルパイプの他端が挿入自在に形成されたドレーンタンクとを具備し、
前記ドレーンタンク内の上方に形成された口部に対して前記フレキシブルパイプの他端が摺動自在に挿入され下端が底部まで達する第１の溜まり部と、該第１の溜まり部内から溢れた水を受ける第２の溜まり部とを形成したことを特徴とするフード式頭髪促進装置。
【請求項２】
前記第１の溜まり部と、前記フレキシブルパイプが挿入される開口部との間に、フレキシブルパイプを第１の溜まり部に案内するためのガイド部を形成したことを特徴とする請求項１記載のフード式頭髪促進装置。
【発明の詳細な説明】
【０００１】
【発明の属する技術分野】
本発明は理美容院におけるフード式頭髪処理装置において、フード内に供給した蒸気が水滴となって流れ出る水を貯留するようにしたドレーンタンクの改良に関する。
【０００２】
【従来の技術】
従来よりフードの内壁に付着した水滴を、該フードの開口部に形成した水路からフレキシブルパイプを介してドレーンタンク内に貯留するものは存在する。そして、フレキシブルパイプの一端は前記フードの水路に固定され、他端はドレーンタンクの口部に対して着脱自在に取付けられたものである。
【０００３】
【発明が解決しようとする課題】
ところで、フードへの水蒸気の供給によってフード内の気圧が一定以上になると、水蒸気が水滴と一緒にドレーンタンク内に侵入することとなるが、この時、水蒸気には被施術者の頭髪に塗布した薬液の匂いが含まれているので、ドレーンタンクから前記臭気が漏れ出たり、水蒸気がドレーンタンクの口部から外部に漏れ出して外装カバー等の外部部品に水滴が付着して汚損するといった問題があった。
【０００４】
また、従来のフレキシブルパイプはフードとドレーンタンクとに固定状態となっているため、フードの開閉時において屈曲することとなるので該フレキシブルパイプが損傷することがあり、さらに、フレキシブルパイプの存在によってフードの開閉運動に負荷が掛かるといった問題があった。
【０００５】
本発明は前記した問題点を解決せんとするもので、その目的とするところは、ドレーンタンクから臭気や水滴が外部に漏れ出ることがなく、また、フードの開閉に伴ってフレキシブルパイプがドレーンタンク内を移動することにより、フレキシブルパイプが屈曲したりフードの開閉時に負荷を与えることがないフード式頭髪促進装置を提供せんとするにある。
【０００６】
【課題を解決するための手段】
本発明のフード式頭髪促進装置は前記した目的を達成せんとするもので、その手段は、被施術者の頭部に被るフードの内部に蒸気を供給することで頭髪を促進するフード式頭髪促進装置において、前記フードの開口部内周面に折り返しして形成した水路と、該水路の出口に一端を取付けたフレキシブルパイプと、該フレキシブルパイプの他端が挿入自在に形成されたドレーンタンクとを具備し、前記ドレーンタンク内の上方に形成された口部に対して前記フレキシブルパイプの他端が摺動自在に挿入され下端が底部まで達する第１の溜まり部と、該第１の溜まり部内から溢れた水を受ける第２の溜まり部とを形成したものである。
【０００７】
また、前記第１の溜まり部と、前記フレキシブルパイプが挿入される開口部との間に、フレキシブルパイプを第１の溜まり部に案内するためのガイド部を形成することが望ましい。
【０００８】
【発明の実施の形態】
以下、本発明に係るフード式頭髪促進装置の一実施の形態を図面と共に説明する。
図１、図３において、１はフード、２は該フード１が図１の閉じた状態（施術状態）と図２の開放した状態（非施術状態）との２位置に開閉可能に取付けられた本体にして、水蒸気発生装置２１やタンク２２および操作パネル２３が組み込まれている。なお、２４はキャスター、２５は被施術者のネック部に当接させて頭部の位置を固定するためのネック受けである。
【０００９】
図５はフード１の一部断面図であり、フード１の開放部１１の内周面にはフード内面に付着し流れる水滴を受ける水路１１が形成され、該水路１１の出口部１１ａにはフレキシブルパイプ３の一端が接続固定されている。そして、該フレキシブルパイプ３の他端は前記本体２のケース壁面に対して着脱自在に取付けられた本発明の要旨であるドレーンタンク４の口部４１に対して摺動自在に挿入されている。
【００１０】
次に、ドレーンタンク４の詳細な構造を図２、図４と共に説明する。
ドレーンタンク４は合成樹脂等で形成した長方形の中空体であって、上方には前記口部４１が形成され、下方には前記本体２のケース壁面に取付けするための孔４２が形成されている。
【００１１】
また、ドレーンタンク４内の上部にはフレキシブルパイプ３の直径より間隔が広い位置に一対からなるガイド部４３が形成され、また、該ガイド部４３の下部にはＵ状の区画壁４４によって形成された第１の溜まり部４５が形成され、さらに、前記区画壁４４から延長されて前記孔４２が形成されている。そして、前記第１の溜まり部４５より下方の空間部は第２の溜まり部４６となっている。
【００１２】
次に、前記した構成に基づいて動作を説明するに、図１に示すフード１が被施術者の頭部を覆っている状態においては、フレキシブルパイプ３は下方に押し出されるので、該フレキシブルパイプ３の下端はドレーンタンク４の第１の溜まり部４５の下端まで挿入された状態となっている。
【００１３】
この状態において、フード１内に蒸気を供給して水滴が水路１１を伝わって出口部１１ａからフレキシブルパイプ３内に流れ出すと、該水滴は第１の溜まり部４５内に流れ込むので、フレキシブルパイプ３の下端は第１の溜まり部４５内に溜まっている水の中に没した状態となっている。
【００１４】
このようにフレキシブルパイプ３の下端が水中に没している状態において、フードへの水蒸気の供給によってフード内の気圧が一定以上になって、被施術者の頭髪に塗布した薬液の匂いが含まれた水蒸気が水滴と一緒にドレーンタンク内に侵入しても、水蒸気と共に臭気は前記溜まっている水内に送り出されるので、水蒸気は第１の溜まり部４５内で水となり、また、臭気が外部に漏れ出すことがなくなる。
【００１５】
従って、水蒸気が外部に漏れ出して外装カバー等の外部部品に水滴が付着して汚損することもなく、また、臭気による不快感を周りの人に与えることがないものである。そして、頭髪処理が終了したなら、フード１を図３に示すように時計方向に回動することで、フード１は被施術者の頭部から遠ざかる。この時、フレキシブルパイプ３はガイド部４３にガイドされながら上方に引き出されるので、フード１を閉じた状態から開放した状態、あるいは、その逆の場合にもフレキシブルパイプ３が湾曲されることがなく、フレキシブルパイプ３の劣化を防止できる。
【００１６】
なお、第１の溜まり部４５が水によって一杯になると、区画壁４４の上端から溢れだして第２の溜まり部４６に流れることとなる。また、第２の溜まり部４６も一杯になった場合には、フレキシブルパイプ３を口部４１から引き出し、ケース壁面から孔４２を外して分離することで、ドレーンタンク４内の全ての水を排水することができる。
【００１７】
【発明の効果】
本発明は前記したように、ドレーンタンク内の上方に形成された口部に対してフレキシブルパイプの他端が摺動自在に挿入され下端が底部まで達する第１の溜まり部と、該第１の溜まり部内から溢れた水を受ける第２の溜まり部とを形成したことにより、ドレーンタンクから臭気や水滴が外部に漏れ出ることがない。
【００１８】
また、フードの開閉に伴ってフレキシブルパイプがガイド部にガイドされながらドレーンタンク内を移動することにより、フレキシブルパイプが屈曲したりフードの開閉時に負荷を与えることがない等の効果を有するものである。
【図面の簡単な説明】
【図１】本発明に係るフード式頭髪処理装置においてフードが閉じられている状態の側面図である。
【図２】同上の状態におけるドレーンタンクの断面図である。
【図３】図１のフードが開放されている状態の断面図である。
【図４】同上の状態におけるドレーンタンクの断面図である。
【図５】一部を破断した拡大側面図である。
【符号の説明】
１　　　　　フード
１１　　　　水路
２　　　　　本体
３　　　　　フレキシブルパイプ
４　　　　　ドレーンタンク
４１　　　　口部
４３　　　　ガイド部
４５　　　　第１の溜まり部
４６　　　　第２の溜まり部
【図１】
2004089436.tif 000003
【図２】
2004089436.tif 000004
【図３】
2004089436.tif 000005
【図４】
2004089436.tif 000006
【図５】
2004089436.tif 000007